(57)【要約】【課題】  軽量化及び小型化を図るとともに、他物品との密着性の低下に伴う各種不都合を防止することが可能となる防音型エンジン駆動作業機を提供する。【解決手段】  エンジンにより駆動される作業機本体が防音ケース１０の内部に収納されており、他物品Ｂと密着した状態で設置される防音型エンジン駆動作業機１において、前記防音ケースは、底面部１１と、当該底面部の四周を囲繞する側面部１２〜１５と、上部を閉塞する上面部１６を有しているとともに、前記底面部、側面部及び上面部の少なくとも一面が、前記他物品との密着面となるように構成されており、少なくとも一つの前記密着面の全域にわたり開口部４０が形成されている構成とした。【選択図】      図１
2005105857.tif 000002
【特許請求の範囲】
【請求項１】
エンジンにより駆動される作業機本体が防音ケースの内部に収納されており、
他物品と密着した状態で設置される防音型エンジン駆動作業機において、
前記防音ケースは、底面部と、当該底面部の四周を囲繞する側面部と、上部を閉塞する上面部を有しているとともに、
前記底面部、側面部及び上面部の少なくとも一面が、前記他物品との密着面となるように構成されており、
少なくとも一つの前記密着面の全域にわたり開口部が形成されていることを特徴とする防音型エンジン駆動作業機。
【請求項２】
前記開口部の周縁に沿って設けられている第１介装部材と、
前記第１介装部材の少なくとも一部に沿って設けられている第２介装部材を備えることを特徴とする請求項１に記載の防音型エンジン駆動作業機。
【請求項３】
前記開口部の少なくとも一部を閉塞するように、機能性部材が設けられていることを特徴とする請求項１又は請求項２に記載の防音型エンジン駆動作業機。
【発明の詳細な説明】
【技術分野】
【０００１】
本発明は、圧縮機、発電機、又は、溶接機等の作業機本体を防音ケース内に収納した、防音型エンジン駆動作業機（以下「作業機」という場合がある）に関する。
【背景技術】
【０００２】
従来から、騒音を低減させるために防音ケース内にエンジンで駆動される発電機本体を収容した発電機が使用されている。このような発電機は、防音ケースの所定位置に吸気口及び排風口を形成し、その内部に導風ダクトを設けた構造とすることが一般的である（例えば、特許文献１参照）。
【０００３】
一方、近年、貨物用コンテナに冷蔵装置を設置し、この冷蔵装置の動力源として発電機を使用するというニーズが発生している。この場合には、貨物用コンテナの収納容量を増大させるために、発電機は貨物用コンテナの壁面に密着した状態で配置されるとともに、発電機を可能な限り小型化することが要求される。
【特許文献１】特開平８−７４５９５号公報（［００１３］―［００２２］，図２−図３）
【発明の開示】
【発明が解決しようとする課題】
【０００４】
しかし、貨物用コンテナにおける発電機と密着する面は開口部を有していないため、従来の発電機の防音ケースにおける貨物用コンテナと密着する面は、防音上の観点から必ずしも必要とされるものではなく、むしろ、その存在により、軽量化、小型化、製造費用の低減の妨げとなっていた。
【０００５】
本発明は、前記問題点を解決するためになされたものであり、軽量化及び小型化を図るとともに、他物品との密着性の低下に伴う各種不都合を防止することが可能となる防音型エンジン駆動作業機を提供することを目的とする。
【課題を解決するための手段】
【０００６】
前記課題を解決するために、本発明は、エンジンにより駆動される作業機本体が防音ケースの内部に収納されており、他物品と密着した状態で設置される防音型エンジン駆動作業機において、前記防音ケースは、底面部と、当該底面部の四周を囲繞する側面部と、上部を閉塞する上面部を有しているとともに、前記底面部、側面部及び上面部の少なくとも一面が、前記他物品との密着面となるように構成されており、少なくとも一つの前記密着面の全域にわたり開口部が形成されていることを特徴としている。
【０００７】
ここで、他物品とは、開口を有しない平面部を有しており、当該平面部で作業機の密着面と接合することができる各種の装置、設備等であり、例えば、貨物用コンテナを含む総てのコンテナ等である。
また、前記開口部は、完全に壁面と一致するものでなく、やや小さく形成されるものである。さらに、単一の開口として形成されていることはもちろん、小面積である複数の開口から形成されていてもよく、その形状も制限されるものではない。
【０００８】
また、前記防音型エンジン駆動作業機において、前記開口部の周縁に沿って設けられている第１介装部材と、前記第１介装部材の少なくとも一部に沿って設けられている第２介装部材を備えることを特徴とすることもできる。
【０００９】
ここで、介装部材とは、防音ケースの密着面と、他物品の接合面との間に介装される部材であり、防水材料、吸音材料、遮音材料、制振材料、断熱材料等の機能性材料から形成されている、少なくとも１種類の部材をいう。
【００１０】
また、前記防音型エンジン駆動作業機において、前記開口部の少なくとも一部を閉塞するように、機能性部材が設けられていることもできる。
ここで、機能性部材とは、防水材料、吸音材料、遮音材料、制振材料、断熱材料等の機能性材料から形成されている部材である。
【００１１】
さらに、前記防音ケースにおける開口部の近傍に、補強部材を設けることとすれば、防音ケースの剛性の低下を防ぐことができるため、さらに好適である。
【発明の効果】
【００１２】
本発明によれば、防音ケースにおける他物品との密着面の全域にわたり開口部を形成することで、不要な部材を減らして、防音型エンジン駆動作業機の小型化、構造の簡略化、軽量化を図るととともに、製造費用を低減させることができる。また、防音型エンジン駆動作業機を他物品から取り外した際に、前記開口部を利用して、容易に点検及び修理を行うことができる。
【００１３】
また、開口部の周縁に沿って設けられている第１介装部材と、第１介装部材の少なくとも一部に沿って設けられている第２介装部材を備えていることから、二つの介装部材による確実な遮蔽構造とすることができる。従って、介装部材の種類に応じて、充分な遮音性能、防水性能、制振性能、断熱性能等を発揮させることができる。
【００１４】
また、開口部の少なくとも一部を閉塞するように、機能性部材が設けられていることにより、大きな開口部を設けた場合であっても、機能性部材の特性に応じて、エンジン或いは作業機本体等が他物品に悪影響を及ぼすことを防止することができる。
【発明を実施するための最良の形態】
【００１５】
本発明を実施するための最良の形態（以下「実施形態」という）について、図面を参照して詳細に説明する。
なお、以下の説明において、各作業機の左右は、図１における方向と対応するものとする。また、各実施形態の説明において、同一の構成要素に関しては同一の符号を付し、重複した説明は省略するものとする。
【００１６】
［第１実施形態］
図１及び図２に示すように、本発明の作業機１（第１実施形態）では、エンジン、当該エンジンにより駆動される作業機本体、冷却用熱交換器、及び、他の各種機器（図示せず）が、防音ケース１０の内部に収納されている。
前記防音ケース１０は、底面部１１と、当該底面部１１の四周を囲繞する前面部１２、後面部１３及び左右の側面部１４，１５（各々が側面部に対応する）と、上部を閉塞する上面部１６を有しており、直方体形状に形成されている。
また、他物品Ｂは、作業機１よりも各面の寸法が大きい直方体形状に形成されており、その前面部Ｂ１において、作業機１の後面部１３と密着した状態で架台Ｋ上に配置されている。
【００１７】
前面部１２の右側には、保守点検用扉１２ａが開閉自在に取り付けられているとともに、その左側にはパネル１２ｂが設けられている。
また、左側面部１４には吸気口（図示せず）が、右側面部１５には排風口（図示せず）がそれぞれ形成されているとともに、当該吸気口及び排風口に接続する吸気ダクト１７及び排気ダクト１８が設けられている。
この吸気ダクト１７及び排気ダクト１８は矩形筒状に形成されており、奥行き方向には、略中央部の位置に一方の端面が、後面部１３との境界部において若干の段差が形成される位置に他方の端面が取り付けられている。
【００１８】
後面部１３は、略全域にわたって矩形形状の開口部４０が設けられており、口字形状に形成されている。そして、後面部１３の内側縁部には、内側方向に平面視で口字形状である支持枠４１が凹設されている。
【００１９】
支持枠４１と他物品Ｂの前面部Ｂ１との間には、口字形状の遮音防水部材４５（第１介装部材）が介装されており、また、後面部１３の周縁部１３ａと他物品Ｂの前面部Ｂ１との間には、遮音防水部材４５より開口部が一回り大きい口字形状の制振防水部材４６（第２介装部材）が介装されている。この遮音防水部材４５は、遮音性能と防水性能を兼ね備えた柔軟で密着性が良く、反発力を有する部材であり、発泡性の合成ゴムが用いられている。また、制振防水部材４６は、制振性能と防水性能を兼ね備えた部材であり、前記遮音防水部材４５と比較して硬度の異なる発泡性の合成ゴムが用いられている。
【００２０】
図３に示すように、この遮音防水部材４５は、制振防水部材４６よりも、他物品Ｂ側に突出する厚さとなるように形成されており、作業機１の後面部１３と他物品Ｂの前面部Ｂ１に接合させた場合において、遮音防水部材４５が圧縮変形することにより、隙間なく確実に密着させることができることになる。
なお、前記支持枠４１は、遮音防水部材４５を介設するための役割の他に、防音ケース１０を補強するための補強部材としての役割も果たしている。
【００２１】
そして、作業機１は、底面部１１を架台Ｋにボルトで固定されているとともに、他物品Ｂの前面部Ｂ１に、後面部１３を密着させた状態でボルト（図示せず）で固定されている。
【００２２】
本発明の作業機１によれば、防音ケース１０における後面部１３（他物品Ｂとの密着面）の全域にわたり開口部４０を形成することで、不要な部材を減らすことにより、作業機１の小型化、構造の簡略化、軽量化を図るととともに、製造費用を低減させることができる。
また、作業機１を他物品Ｂから取り外した後、開口部４０を利用して、容易に点検及び修理を行うことができる。
【００２３】
また、防音ケース１０における後面部１３の内側縁部に沿って設けられている支持枠４１に介設されている遮音防水部材４５と、後面部１３の周縁部１３ａに設けられている防振防水部材４６を備えていることから、二重の防水構造とすることができる。従って、熟練した技術を要しない使用者が、作業機１の配置を行った場合であっても、確実に遮音性、制振性、防水性を確保することができる。
【００２４】
さらに、防音ケース１０における開口部４０を補強するために、支持枠４１が設けられていることから、大きな開口部４０を設けた場合であっても、当該防音ケース１０の剛性が低下することを防止することができる。
【００２５】
なお、図４に示すように、前記作業機１の変形例として開口部４０の右側面の一部を閉塞するように、矩形形状の断熱材（機能性部材）４７が、同じく、左側面の一部を閉塞するように、矩形形状の吸音材４８（機能性部材）がそれぞれ貼設されている構造の作業機１’とすることもできる。
この構造により、防音ケース１０’に大きな開口部４０を設けた場合であっても、エンジンにより騒音、或いは作業機本体による発熱等が他物品Ｂに悪影響を及ぼすことを防止することができる。
【００２６】
［第２実施形態］
図５に示すように、本発明の作業機２（第２実施形態）は、第１実施形態の作業機１と略同様の構造となっているが、後面部２３及び上面部２６の構成が異なっている。
すなわち、防音ケース２０における後面部２３は、第１実施形態の場合と同一形状の開口部４０が形成されているだけであり、支持枠４１は設けられていない構造となっている。
一方、後面部２３の上部及び側部の一部を囲むように、吸気ダクト１７と排気ダクト１８の後面部２３側の一面と一致する位置に、反転させた凹字形状の衝立２７が突設されている。この衝立２７は、両端部が吸気ダクト１７と排気ダクト１８側に若干突出するように上面部２６の全幅にわたって設けられている。
【００２７】
そして、衝立２７及び後面部２３の側方部２３ｂ（左側面部１４と吸気ダクト１７により形成される段差部、右側面部１５と排気ダクト１８により形成される段差部）と他物品Ｂの前面部Ｂ１との間には、門型形状の遮音防水部材４５’が介装されており、また、後面部の周縁部２３ａと他物品Ｂの前面部Ｂ１との間には、制振防水部材４６が介装されている。
図６に示すように、この遮音防水部材４５’は、制振防水部材４６よりも、他物品Ｂ側に突出する厚さとなるように形成されている。
【００２８】
なお、前記衝立２７は、遮音防水部材４５’を介設するための役割の他に、防音ケース２０の補強部材としての役割も果たしている。
また、遮音防水部材４５’は門型に形成されており、後面部２３の開口部４０の下縁には設けられていないが、下方から雨水が浸入する場合が考えられない場合を想定しているため、問題が生じることはない。
【００２９】
本発明の作業機２によっても、第１実施形態の作業機１と略同様の作用効果が奏されるとともに、支持枠４１が設けられていないため、さらに、製造費用を低減させることができる。
【００３０】
［第３実施形態］
図７に示すように、本発明の作業機３（第３実施形態）は、第１実施形態の作業機１と比較した場合に、吸気ダクトと排気ダクトの構造と、防音ケース３０における後面部３３の開口部５０の構造が異なっている。
すなわち、作業機３における吸気ダクトと排気ダクト（図示せず）は、吸気口（図示せず）と排風口１５ａに接続するように防音ケース３０の内部に設けられている。
また、後面部３３には、等しい開口面積を有する２つの開口部５０が設けられている。各開口部５０には、第１実施形態と同様の支持枠５１が設けられており、当該支持枠５１と、他物品Ｂの前面部Ｂ１の間には遮音防水部材５５が介装されており、また、後面部３３の開口部５０以外の部位と他物品Ｂの前面部Ｂ１の間には日字形状の制振防水部材５６が介装されている。
【００３１】
本発明の作業機３によっても、第１実施形態の作業機１と略同様の作用効果が奏されるとともに、後面部３３の開口部５０が２分割されて設けられており、当該後面部５０の中央部の縦方向が補強されることから、防音ケース３０の剛性の低下を防止することができる。
【００３２】
以上、本発明について、好適な実施形態についての一例を説明したが、本発明は当該実施形態に限られず、本発明の趣旨を逸脱しない範囲で適宜設計変更が可能である。特に、他物品との密着面は、側面部に限られず、底面部又は上面部であってもよい。また、複数の密着面が存在する場合において、防音ケースの剛性を低下させないように設けるものであれば、各密着面について複数の開口部が形成されていてもよい。
また、防音型作業機は、発電機、圧縮機、溶接機等、エンジンにより駆動される作業機本体が防音ケースの内部に収納されているものであれば、いずれにも適用可能であることは言うまでもない。
【図面の簡単な説明】
【００３３】
【図１】本発明の防音型エンジン駆動作業機（第１実施形態）を他物品に密着させて設置した状態を示す斜視図である。
【図２】本発明の防音型エンジン駆動作業機（第１実施形態）を示す斜視図である。
【図３】本発明の防音型エンジン駆動作業機（第１実施形態）の要部を拡大した側断面図である。
【図４】本発明の防音型エンジン駆動作業機（第１実施形態）の変形例を示す斜視図である。
【図５】本発明の防音型エンジン駆動作業機（第２実施形態）を示す斜視図である。
【図６】本発明の防音型エンジン駆動作業機（第２実施形態）の要部を拡大した側断面図である。
【図７】本発明の防音型エンジン駆動作業機（第３実施形態）を示す斜視図である。
【符号の説明】
【００３４】
１，１’，２，３      防音型エンジン駆動作業機
１０，１０’，２０，３０      防音ケース
１１      底面部
１２      前面部
１３，２３，３３      後面部
１３ａ    内側縁部
１３ｂ    周縁部
１４，１５      側面部
１６      上面部
４０，５０      開口部
４１，５１      支持枠
４５，４５’，５５      遮音防水部材（第１介装部材）
４６，５６      制振防水部材（第２介装部材）
４７      断熱材（機能性部材）
４８      吸音材（機能性部材）
Ｂ        他物品
Ｂ１      前面部
【図１】
2005105857.tif 000003
【図２】
2005105857.tif 000004
【図３】
2005105857.tif 000005
【図４】
2005105857.tif 000006
【図５】
2005105857.tif 000007
【図６】
2005105857.tif 000008
【図７】
2005105857.tif 000009